(57)【要約】【課題】  店内が混雑している場合でもスムーズにドリンクの注文ができるドリンク注文システムを提供する。【解決手段】  ドリンク注文システム２は、第１〜第８コースター８〜１５と注文表示装置６とを有する。第１コースター８には、第１〜第３感圧センサ、第１〜第３感圧センサから入力される抵抗信号を基に接触しているか否かを判定して接触検知信号を出力する第１〜第３接触判定回路、第１〜第３接触判定回路からの接触検知信号を基にジョッキの開口縁がコースターの上面に接触しているか否かを判定する中央制御回路等が備えられる。コースターの上面にジョッキの開口縁が接触している場合には注文信号が注文表示装置に無線通信によって入力され、注文表示装置に備えられた表示部６ａには注文が表示される。【選択図】        図１
2005258949.tif 000002
【特許請求の範囲】
【請求項１】
ドリンクを入れる容器の開口縁が接触しているか否かを検出する検出手段と、この検出手段によって容器の開口縁が接触していることが検出された場合にドリンクの注文を報知するための注文報知信号を送出する通信手段とを設けたコースターと、
前記コースターに設けられた通信手段からの注文報知信号を受けてドリンクの注文を報知する報知装置とを有することを特徴とするドリンク注文システム。
【請求項２】
前記通信手段は無線によって注文報知信号を送出する無線通信手段であることを特徴とする請求項１に記載のドリンク注文システム。
【発明の詳細な説明】
【技術分野】
【０００１】
本発明は、飲食店等において使用されるドリンク注文システムに関するものである。
【背景技術】
【０００２】
現在、飲食店等に導入されている注文表示システムでは、例えば、店員が通信端末を持ち歩き、客の注文に応じて通信端末を操作し、通信端末から入力される注文情報をディスプレイ等に表示し、このディスプレイを見た厨房スタッフによって作られた品が客に配られるというものであった。通信端末は無線通信によってディスプレイ側と通信しており、これにより店員が店内のどこでも客から注文を受けることができるようになっていた。さらに、近年では注文を受けた際に予め会計処理まで行なう注文管理システムが考案されており、このため客が店を出る際の料金の支払いがスムーズに進行するようになった。
【０００３】
ところで、客からの注文が用意の簡単なドリンクである場合、客の注文情報をディスプレイに表示してこれを見た店員がドリンクを作成し、作成されたドリンクを客に配っていたのでは効率が悪いため、特許文献１に示すようなドリンク供給システムが考えられた。このドリンク供給システムでは各テーブルまでドリンクの供給管を設置し、客自身がこの供給管から容器にドリンクを注げるようにしていた。このようなシステムを設けることで、格段に早くドリンクを提供することができた。
【０００４】
【特許文献１】実開平５−７５８６７号公報
【発明の開示】
【発明が解決しようとする課題】
【０００５】
しかしながら、客自身がドリンクの供給管からコップ等の容器にドリンクを注ぐ場合、ドリンクの種類によっては容器への注入が難しいものがあり、上手にドリンクを容器に注げない場合、客は不快に感じる場合があった。特に、ビール等の泡立ちが大きなドリンクを容器に上手に注ぐにはある程度、注入操作に習熟する必要があり、機器の操作に慣れていない客は上手に容器に注げないことが多かった。
【０００６】
また、通信端末を携帯した店員が注文を受ける注文管理システムが導入された飲食店等にてドリンクのおかわりを注文する場合では、一端店員を呼び出してドリンクのおかわりを注文し、これに応じて店員がドリンクが注がれた容器を運んでくるため、ドリンクの注文から提供までに時間がかかっていた。さらに、冷たいドリンクが注がれた容器をテーブルに置く際には容器の下にコースターを敷くのが一般的であるが、容器が空になった後は、コースター及びコースターに載置された空の容器は邪魔になっていた。
【０００７】
本発明は、上記の事情に鑑みてなされたものであり、その目的は、容器が伏せられてコースター上に載置された場合にドリンクの注文を行なうことで、店内が混雑している場合でもスムーズにドリンクの注文ができるドリンク注文システムを提供することにある。
【課題を解決するための手段】
【０００８】
本発明のドリンク注文システムでは、ドリンクを入れる容器の開口縁が接触しているか否かを検出する検出手段と、この検出手段によって容器の開口縁の接触が検出された場合に、ドリンクの注文を報知するための注文報知信号を送出する通信手段とを設けたコースターと、このコースターに設けられた通信手段から送出された注文報知信号を受けてドリンクの注文を報知する報知装置とを有することを特徴とする。
【０００９】
また、通信手段は無線で注文報知信号を送出する無線通信手段であることを特徴とする。
【発明の効果】
【００１０】
本発明のドリンク注文システムによれば、ドリンクを入れる容器の開口縁が接触しているか否かを検出する検出手段と、この検出手段によって容器の開口縁の接触が検出された場合にドリンクの注文を放置するための注文報知信号を送出する通信手段とを設けたコースターと、このコースターからの注文報知信号を受けてドリンクの注文を報知する報知装置とを有することにより、客によってコースターに容器が伏せられて載置された場合には、容器の開口縁がコースターに接触したことが検知手段によって検知され、これに応じて報知装置はドリンクの注文の報知を行なうから、店側は注文を受けに客の元まで店員が駆けつけることなく注文を受けることができ、店内が混雑している場合などでもスムーズにドリンクの注文が可能なドリンク注文システムを提供することができる。
【００１１】
また、通信手段は無線で注文報知信号を伝達する無線通信手段であることにより、コースターを置く場所の制約がより小さくなり、より利便性の高いドリンク注文システムを提供することができる。
【発明を実施するための最良の形態】
【００１２】
図１に本発明のドリンク注文システムの全体を概略的に示した全体図を示す。ドリンク注文システムは、それぞれビールを入れるためのジョッキの下に敷かれる第１〜第８コースター８〜１５と注文表示装置（報知装置）６とを有する。第１〜第８コースター８〜１５は予めテーブルごとに振り分けられている。例えば、４人用の第１テーブル用には第１〜第４コースター８〜１１が配置されることが予め決められ、２人用の第２テーブルには第５、第６コースター１２、１３が配置されることが予め決められている。第１〜第８コースター８〜１５は、ドリンクが注がれたジョッキが店員によって客に配られる際にジョッキの下に敷かれる。注文表示装置６は、ビールをジョッキに注ぐためのビールサーバーの近くに配置されている。注文表示装置６にはビールの注文が示される表示部６ａが備えられており、店員はこの表示部６ａを見てビールの注文を確認する。
【００１３】
図２に第１コースター８の斜視図を示す。なお、第２〜第８コースター９〜１５については第１コースター８と構造が同じであるため、第１コースター８の説明をもって第２〜第８コースター９〜１５の説明は省略する。第１コースター８は薄い板状に形成され、一方の面はテーブルと対面する底面（図示省略）であり、他方の面はジョッキが載置される上面８ａとなる。上面８ａにはジョッキがどのように載置されているかを検知するために円環状に形成された第１感圧センサ１７が設けられ、第１感圧センサ１７の外側には円環状に形成された第２感圧センサ１８が設けられている。第２感圧センサ１８は、その内縁が第１感圧センサ１７の外縁から一定の間隔を隔てるように配置されており、第１、第２感圧センサ１７、１８は、接触した際の押される程度に応じたレベルの抵抗信号を出力する。
【００１４】
図３に第１コースター８の電気的な構成を概略的に示したブロック図を示す。第１コースター８には第１感圧センサ１７から出力される抵抗信号を基に接触しているか否かを判定する第１接触判定回路（検出手段）２０、第２感圧センサ１８から出力される抵抗信号を基に接触しているか否かを判定する第２接触判定回路（検出手段）２１、ＲＯＭ２６、送受信アンテナ２８を備え、無線で情報を伝達する無線通信手段である無線通信インターフェース（以降、無線通信Ｉ／Ｆと言う）２９、及びこれらの動作を制御する中央制御回路３０等が備えられている。
【００１５】
第１、第２感圧センサ１７、１８は、それぞれジョッキの開口縁が接触した際、押圧の程度に応じたレベルの抵抗信号を第１、第２接触判定回路２０、２１に出力する。第１、第２接触判定回路２０、２１には、第１、第２感圧センサ１７、１８から入力される抵抗信号と比較するための閾値が予め定められており、第１、第２接触判定回路２０、２１では、抵抗信号のレベルが閾値よりも大きいか否かを判定する。抵抗信号のレベルが閾値よりも大きな場合、それぞれの接触判定回路２０、２１は接触検知信号を中央制御回路３０に入力し、中央制御回路３０では第１、第２接触判定回路２０、２１から入力される接触検知信号を基に動作を制御する。
【００１６】
ＲＯＭ２６には送受信アンテナ２９から注文表示装置６側に送信する注文情報や、第１〜第８コースター８〜１５を識別するための識別情報が予め格納されている。注文情報は複数記憶されており、小ジョッキに１杯のビールを注文する第１注文情報と、小ジョッキよりもサイズの大きな大ジョッキに１杯のビールを注文する第２注文情報とからなる。それぞれの注文情報は中央制御回路３０の命令によってＲＯＭ２６から読み出されて無線通信Ｉ／Ｆ２９に入力される。それぞれの注文情報が無線通信Ｉ／Ｆ２９に入力される際はコースターを識別する識別情報が中央制御回路３０によって注文情報とともに無線通信Ｉ／Ｆ２９に入力される。無線通信Ｉ／Ｆ２９に入力された注文情報、及び識別情報は、注文を報知するための注文報知信号に変調され、所定の無線方式に従って送受信アンテナ２８から注文表示装置６側に送信される。
【００１７】
図４、及び図５を用いて小ジョッキ、あるいは大ジョッキと第１コースター８とを用いて注文する場合について説明する。図４、及び図５に示すように、第１コースター８に載置される筒状で底を有したジョッキは、小サイズの小ジョッキ３５と、小サイズのジョッキよりも大きなサイズの大ジョッキ３６とに予め定められている。それぞれのジョッキは筒状に形成された胴部３５ａ、３６ａとこの胴部３５ａ、３６ａの一端と連なって形成された円板状の底部３５ｂ、３６ｂと胴部３５ａ、３６ａの外周に形成されたアーチ状の把持部３５ｃ、３６ｃとからなる。それぞれのジョッキ３５、３６の胴部３５ａ、３６ａの他端は円形状の開口縁３５ｄ、３６ｄとなる。図４（ａ）に示すように、小ジョッキ３５の胴部３５ａの外周サイズは開口３５ｄ側から底部３５ｂ側まで一定であり、底部３５ｂにおいて外側に突出形成された円形突起部３５ｅの半径は、円環状に形成された第１感圧センサ１７の内縁１７ａの半径よりも小さい。小ジョッキ３５の底部３５ｂが第１コースター８の上面８ａと対面するように第１コースター８の中央に載置された場合には、小ジョッキ３５の底部３５ｂに形成された円形突起部３５ｅは第１感圧センサ１７の内側に位置する。
【００１８】
図４（ｂ）に示すように、小ジョッキ３５の開口縁３５ｄの外縁の半径は第１感圧センサ１７の外縁１７ｂの半径と等しく、開口縁３５ｅの内縁の半径は第１感圧センサ１７の内縁１７ａの半径と等しい。小ジョッキ３５が伏せられて第１コースター８の上面８ａに載置された場合には、小ジョッキ３５の開口縁３５ｄが第１感圧センサ１７に接触し、第１感圧センサ１７からの抵抗信号を基に第１接触判定回路２０が接触を判定し、第１接触判定回路２０から接触検知信号が中央制御回路３０に入力される。中央制御回路３０は、第１接触判定回路２０から接触検知信号が入力した場合には、ＲＯＭ２６から第１注文情報を読み出してコースターの識別情報とともに無線通信Ｉ／Ｆ２９に入力する。
【００１９】
図５（ａ）に示すように、大ジョッキ３６の胴部３６ａの外周サイズは開口縁３６ｄ側から底部３６ｂ側まで一定に形成されている。底部３６ｂに突出形成された円形突起部３６ｅの半径は、小ジョッキ３５に形成された円形突起部３５ｅの半径と同サイズに形成されている。大ジョッキ３６の底部３６ｂが第１コースター８の上面８ａに対面するように大ジョッキ３６が第１コースター８の中央に載置された場合には、大ジョッキ３６の底部３６ｂに形成された円形突起部３６ｅは第１感圧センサ１７の内側に位置する。図５（ｂ）に示すように、大ジョッキ３６の開口縁３６ｄの外縁の半径は、第２感圧センサ１８の外縁１８ｂの半径と等しく、大ジョッキ３６の開口縁３６ｄの内縁の半径は第２感圧センサ１８の内縁１８ａの半径と等しい。大ジョッキ３６が伏せられて第１コースター８上に載置された場合には、大ジョッキ３６の開口縁３６ｄが第２感圧センサ１８に接触し、第２感圧センサ１８からの抵抗信号を基に接触を判定した第２接触判定回路２１から中央制御回路３０に接触検知信号が入力される。中央制御回路３０は、第２接触判定回路２１からのみ接触検知信号が入力された場合には、ＲＯＭ２６から第２注文情報を読み出して第１コースター８の識別情報とともに無線通信Ｉ／Ｆ２９に入力する。
【００２０】
図６に注文表示装置６のブロック図を示す。注文表示装置６には、第１〜第８コースター８〜１５から送信される注文報知信号を受信するための送受信アンテナ４０を備えた無線通信Ｉ／Ｆ４１、ＣＰＵ４３、表示制御部４５、表示部６ａ，データを一時的に蓄積するＲＡＭ４８等が設けられている。送受信アンテナ４０によって受信された注文報知信号は無線通信Ｉ／Ｆ４１で注文情報、識別情報に復調されてＣＰＵ４３に入力される。注文情報、及び識別情報の入力に応じてＣＰＵ４３は表示部６ａの動作を制御する表示制御部４５に注文表示命令を出力し、注文表示命令を受けた表示制御部４５は表示部６ａを駆動させて注文を表示させる。
【００２１】
図７に表示制御部４５によって動作が制御される表示部６ａの平面図を示す。表示部６ａにはコースターの番号ごとに区切られた番号表が表示され、第１注文情報及び識別情報がＣＰＵ４３に入力された場合には、表示制御部４５は識別情報が示す番号の部分を赤色に点灯させる。第２注文情報及び識別情報がＣＰＵに入力された場合には、表示制御部４５は識別情報が示す番号の部分を青色に点等させる。例えば、第１コースター８を示す識別情報と第１注文情報とがＣＰＵ４３に入力された場合には、番号「１」の部分が赤色に点灯し、第２コースター９を示す識別情報と第２注文信号とがＣＰＵ４３に入力された場合には、番号「２」の部分が青色に点灯する。なお、上記では第１注文情報信号がＣＰＵ４３に入力された場合に表示部６ａの所定の部分を赤色に点灯させ、第２注文情報がＣＰＵ４３に入力された場合に表示部６ａの所定の部分を青色に点灯させたが、点灯色はこれに限らず、例えば、第１注文情報が入力された場合に所定の部分を黄色に点灯させ、第２注文情報が入力された場合に所定の部分を緑色に点灯させるようにしてもよい。
【００２２】
本発明の作用について説明する。ビールが注がれた小ジョッキ３５やビールが注がれた大ジョッキ３６が、例えば、第１コースター８の上面８ａに載置される。小ジョッキ３５あるいは大ジョッキ３６に注がれたビールを飲み干し、おかわりが欲しい場合には、客は小ジョッキ３５あるいは大ジョッキ３６を伏せて第１コースター８の上に置く。第１コースター８に小ジョッキ３５が伏せて置かれると、第１コースター８の上面８ａに備えられた第１感圧センサ１７からの抵抗信号を基に接触を判定した第１接触判定回路２０から中央制御回路３０に接触検知信号が入力され、中央制御回路３０はこれに応じて第１注文情報を第１コースター８の識別情報とともに無線通信Ｉ／Ｆ２９に入力し、注文報知信号が送受信アンテナ２８から注文表示装置６側に送信される。注文表示装置６が受信した注文報知信号は復調されてＣＰＵ４３に入力され、ＣＰＵ４３の命令により表示制御部４５は表示部６ａ内の識別情報が示す番号の部分を赤色に点灯させる。この表示部６ａを見た店員は小ジョッキ３５にビールを注いで客のテーブルに運ぶ。また、第１コースター８に大ジョッキ３６が伏せて置かれると、第２感圧センサ１８からの抵抗信号を基に第２接触判定回路２１から中央制御回路３０に接触検知信号が入力され、これに応じて中央制御回路３０は第２注文情報と識別信号とを無線通信Ｉ／Ｆ２９に入力し、注文報知信号が注文表示装置６側に送信される。注文報知信号が復調されて入力されたＣＰＵ４３の命令により、表示制御部４５は表示部６ａ内の識別情報が示す番号の部分を青色に点灯させる。この表示部６ａを見た店員は大ジョッキ３６にビールを注いで客のテーブルに運ぶ。ビールが注がれた大ジョッキ３６を客の注文のあったテーブルまで運び、第１コースター８上に伏せられた空の大ジョッキ３６をビールの注がれた大ジョッキ３６と交換することにより、店員は注文を受けるために客のテーブルまで移動する必要がなくなり、より早く客の元にビールの注がれたジョッキを届けることができる。
【００２３】
なお、上記の実施形態では、報知装置は注文を表示する表示部６ａが設けられた注文表示装置６であったが報知装置はこれに限らない。例えば、報知装置として、注文報知信号に応じて注文を音声で知らせるスピーカー装置を用いてもよい。スピーカー装置には動作全般を制御するＣＰＵと、音声を外部に出力する音声出力部と、この音声出力部の動作を制御する動作制御部とが備えられている。例えば、注文報知信号を受けたＣＰＵからの命令に応答して動作制御部は音声出力部を作動させて、ジョッキのビールの注文を受けたことを音声報知する。以上のようにスピーカー装置を用いた場合では、忙しい場合でも店員は音声を通して注文を了解することができ、より利便性の高いドリンク注文システムとなることが期待できる。
【００２４】
また、上記の実施形態では、飲料としてビールを用い、飲料が注がれる容器として大ジョッキと小ジョッキとを使用したが、使用する飲料や容器の種類はこれに限らない。例えば、飲料として緑茶を用い、容器として小さなコップと、この小さなコップと比較して大きなコップとを用いてもかまわない。
【００２５】
また、上記の実施形態では無線通信によって注文報知信号をそれぞれのコースターから注文表示装置６に伝達したが、有線通信によって注文情報をコースターから注文表示装置に伝えてもかまわない。例えば、注文表示装置と通信ケーブルによって接続されたコースターを予めテーブルに配っておく。通信ケーブルによってコースターと注文表示装置とを接続することで、障害物が多い店内等においても確実にコースターは注文表示装置と通信することができ、さらに無線通信を利用する場合に比べてコストの低減が期待できる。
【００２６】
また、上記の実施形態ではそれぞれのコースターに設けられた第１、第２感圧センサ１７、１８からの抵抗信号を監視する第１、第２接触判定回路２０、２１によってコースタの上面に各ジョッキの開口縁が接触しているか否かを検出されたが、ジョッキの開口縁がコースターの上面に接触しているか否かを検出する方法はこれに限らない。例えば、図８に示すように、容器の接触を検出するためのセンサとして、押圧に応じてＯＦＦからＯＮに切り替わる接触検出スイッチ５０を用いる。コースターの上面に接触検出スイッチ５０を所定のパターンに従って複数配置し、これらの接触検出スイッチ５０のＯＮ／ＯＦＦはコースターに設けられた中央制御回路によって監視され、中央制御回路はＯＮした接触検出スイッチ５０の位置、及び時間等を基にしてジョッキの開口縁が接触しているか否かを検出する。
【００２７】
また、上記の実施形態に示したドリンク供給システムでは、小ジョッキ３５と大ジョッキ３６とを判別したが、図９に示すように、小ジョッキ３５と大ジョッキ３６との他にサイズが大ジョッキよりも小さく、かつ小ジョッキよりも大きな中ジョッキを判別できるようにしてもよい。例えば、第１コースター６１の上面にそれぞれ円環状に形成された第１〜第３感圧センサ６４〜６６を設ける。第２感圧センサ６５は第１感圧センサ６４よりもサイズが大きく、第３感圧センサ６６は第２感圧センサ６５よりもサイズが大きい。第２感圧センサ６５の内縁は第１感圧センサ６４の外縁と一定間隔を隔てて配置され、さらに第３感圧センサ６６の内縁は第２感圧センサ６５の外縁と一定間隔を隔てて配置されている。第１コースター６１上にそれぞれのジョッキが伏せられた場合、第１感圧センサ６４は小ジョッキの開口縁と接触し、第３感圧センサ６６は大ジョッキの開口縁と接触し、第２感圧センサ６５は中ジョッキの開口縁と接触する。第１〜第３感圧センサ６４〜６６からの抵抗信号は第１〜第３感圧センサ６４〜６６に対応して設けられた第１〜第３接触判定回路（図示省略）に入力され、この抵抗信号を基に接触しているか否かを検出し、接触が検出された場合には接触検知信号が中央制御回路に入力される。中央制御回路では、第２接触判定回路からのみ接触検知信号が入力された場合にＲＯＭから、中ジョッキに１杯のビールを注文する第３注文情報を読み出して無線通信Ｉ／Ｆに入力する。注文報知信号を受けて注文表示装置は第３注文情報に応じた色、例えば緑色で番号部分を点灯して注文を表示する。このようにコースターに中ジョッキの開口縁を判別するための第２感圧センサ６５を設けて中ジョッキの注文も受け付けられるようにすることでより利便性の高いドリンク供給システムを提供することができる。
【００２８】
次に本発明の第２実施形態について説明する。図１０に第１コースター８０の平面図を示す。なお、第２〜第８コースターについては第１コースターと構造が同じであるため、第１コースター８０の説明をもって第２〜第８コースターの説明は省略する。上面８０ａにはジョッキがどのように載置されているかを検出するためのシート状の感圧センサが複数設けられており、上面８０ａの中央には円形状に形成された第１感圧センサ８７が位置している。第１感圧センサ８７の外側には円環状に形成された第２感圧センサ８８が、その内縁が第１感圧センサ８７の縁から一定の間隔を隔てるように配置されている。さらに、第２感圧センサ８８の外側には円環状に形成された第３感圧センサ８９が、その内縁が第２感圧セン８８の外縁から一定の間隔を隔てるように配置されている。
【００２９】
図１１に示すように、第１コースター８０には第１感圧センサ８７から出力される抵抗信号を基に接触しているか否かを判定する第１接触判定回路９０、第２感圧センサ８８から出力される抵抗信号を基に接触しているか否かを判定する第２接触判定回路９１、第３感圧センサ８９からの抵抗信号を基に接触しているか否かを判定する第３接触判定回路９２、ＲＯＭ２６、送受信アンテナ２８を備えた無線通信インターフェース（以降、無線通信Ｉ／Ｆと言う）２９、及びこれらの動作を制御する中央制御回路１００等が備えられている。
【００３０】
図１２（ａ）と（ｂ）とに示すように、第１コースター８０に載置される筒状で底を有したジョッキは、小サイズの小ジョッキ１０５と、小サイズのジョッキよりも大きなサイズの大ジョッキ１０６とに予め定められている。それぞれのジョッキは筒状に形成された胴部１０５ａ、１０６ａと、この胴部１０５ａ、１０６ａの一端と連なって形成された円板状の底部１０５ｂ、１０６ｂとを有する。それぞれのジョッキ１０５、１０６の胴部１０５ａ、１０６ａの他端は円形状の開口縁１０５ｃ、１０６ｃとなる。図１２（ａ）に示すように、小ジョッキ１０５の胴部１０５ａの外周サイズは開口縁１０５ｃ側から底部１０５ｂ側まで一定であり、胴部１０５ａの半径は、円環状に形成された第２感圧センサ８８の外縁８８ａの半径よりも小さく、かつ第２感圧センサ８８の内縁８８ｂの半径よりも大きい。このため小ジョッキ１０５の開口縁１０５ｃの外縁の半径は第２感圧センサ８８の外縁８８ａの半径よりも小さく、かつ第２感圧センサ８８の内縁８８ｂの半径よりも大きい。小ジョッキ１０５の開口縁１０５ｃの内縁の半径は第２感圧センサ８８の内縁８８ｂの半径よりも大きく形成されている。
【００３１】
小ジョッキ１０５の底部１０５ｂが第１コースター８０の上面８０ａに接触するように載置された場合には、第１感圧センサ８７及び第２感圧センサ８８からの抵抗信号を基に第１接触判定回路９０、第２接触判定回路９１とが接触を判定し、第１、第２接触判定回路９０、９１から接触検知信号が中央制御回路１００に入力される。小ジョッキ１０５が伏せられて第１コースター８０の上面８０ａに載置された場合には、第２感圧センサ８８からの抵抗信号を基に第２接触判定回路９１が接触を判定し、第２接触判定回路９１から接触検知信号が中央制御回路１００に入力される。中央制御回路１００は、第２接触検知回路９１からのみ接触検知信号が入力された場合に、ＲＯＭ２６から第１注文情報とコースターの識別情報とを読み出し、無線通信Ｉ／Ｆ２９に入力する。
【００３２】
図１２（ｂ）に示すように、大ジョッキ１０６の外周サイズは開口縁１０６ｃ側から底部１０６ｂ側まで一定に形成されている。胴部１０６ａの半径は、円環状に形成された第３感圧センサ８９の外縁８９ａの半径よりも小さく、かつ第３感圧センサ８９の内縁８９ｂよりも大きい。このため大ジョッキ１０６の開口縁１０６ｃの外縁の半径は、第３感圧センサ８９の外縁８９ａの半径よりも小さく、かつ第３感圧センサ８９の内縁８９ｂの半径よりも大きい。大ジョッキ１０６の開口縁１０６ｃの内縁の半径は第３感圧センサ８９の内縁８９ｂの半径よりも大きい。大ジョッキ１０６が伏せられて第１コースター８０上に載置された場合には、第３感圧センサ８９からの抵抗信号を基に第３接触検知回路９２から中央制御回路１００に接触検知信号が入力される。中央制御回路１００は、第３接触検知回路９２からのみ接触検知信号が入力した場合には、ＲＯＭ２６から第２注文信号と第１コースター８０の識別情報とを読み出し、無線通信Ｉ／Ｆ２９に入力する。このように、第１コースター８０の第１〜第３感圧センサ８７〜８９を設けることにより、底部の外表面が平らな大ジョッキ及び小ジョッキを用いながら、これらのジョッキが伏せられているか否かを確実に検知することができ、これにより利便性がより高められたドリンク注文システムを提供することができる。
【図面の簡単な説明】
【００３３】
【図１】本発明のドリンク注文システムを概略的に示す平面図である。
【図２】コースターを上から観察した平面図である。
【図３】コースターの電気的な構成を概略的に示したブロック図である。
【図４】コースターに設けられた感圧センサに小ジョッキが伏せられた場合を説明する説明図である。
【図５】コースターに設けられた感圧センサに大ジョッキが伏せられた場合を説明する説明図である。
【図６】注文表示装置の電気的な構成を概略的に示したブロック図である。
【図７】注文表示装置に備えられた表示部の平面図である。
【図８】円環状に形成されたシート状の感圧センサの変わりに、ＯＮ／ＯＦＦ切り替えするスイッチを複数設けたコースターを上から観察した平面図である。
【図９】コースターに第１〜第３感圧センサを設け、中ジョッキを検出できるようにしたコースターを上から観察した平面図である。
【図１０】円形状の第１感圧センサと、円環状の第２、第３感圧センサとを設けたコースターの平面図である。
【図１１】コースターの電気的な構成を概略的に示したブロック図である。
【図１２】コースターに大ジョッキ、あるいは小ジョッキを載置した場合について説明する説明図である。
【符号の説明】
【００３４】
２  ドリンク注文システム
６  注文表示装置（報知装置）
８〜１５  第１〜第８コースター
１７  第１感圧センサ
１８  第２感圧センサ
２０  第１接触判定回路（検出手段）
２１  第２接触判定回路（検出手段）
３０  中央制御回路
２８  送受信アンテナ
２９  無線通信Ｉ／Ｆ（無線通信手段）
４０  送受信アンテナ
４１  無線通信Ｉ／Ｆ（無線通信手段）
【図１】
2005258949.tif 000003
【図２】
2005258949.tif 000004
【図３】
2005258949.tif 000005
【図４】
2005258949.tif 000006
【図５】
2005258949.tif 000007
【図６】
2005258949.tif 000008
【図７】
2005258949.tif 000009
【図８】
2005258949.tif 000010
【図９】
2005258949.tif 000011
【図１０】
2005258949.tif 000012
【図１１】
2005258949.tif 000013
【図１２】
2005258949.tif 000014